(57)【要約】      （修正有）【課題】結像性能の高性能化及び光学全長の短縮化を図った撮像光学系を提供する。【解決手段】物体側から順に、開口絞りＳと、正の屈折力を有する第１レンズＬ１と、負の屈折力を有する第２レンズＬ２と、正又は負の屈折力を有する第３レンズＬ３と、正の屈折力を有する第４レンズＬ４と、負の屈折力を有する第５レンズＬ５と、からなり、条件式（１）、（２）を満足する。７．５＜φｓ１１/ＢＦＬ（ｍｉｎ）＜１０・・（１）０．６＜ＴＴＬ/２Ｙ＜０．８５・・（２）、φｓ１１は第５レンズの像面側の光学有効径、ＢＦＬ（ｍｉｎ）は光学有効径内での、第５レンズの像面側と像面との間の最短距離、ＴＴＬは撮像光学系の光学全長、２Ｙは固体撮像素子の撮像面対角線長（固体撮像素子の矩形実行画素領域の対角線長）である。【選択図】図１
2014123092.tif 000002
【特許請求の範囲】
【請求項１】
固体撮像素子上に被写体像を結像させる撮像光学系であって、
物体側から順に
開口絞りと、
正の屈折力を有する第１レンズと
負の屈折力を有する第２レンズと、
正又は負の屈折力を有する第３レンズと、
正の屈折力を有する第４レンズと、
負の屈折力を有する第５レンズと、
からなり
以下の条件式を満足すること特徴とする撮像光学系。
７．５＜φｓ１１/ＢＦＬ（ｍｉｎ）＜１０         （１）
０．６＜ＴＴＬ/２Ｙ＜０．８５                                       （２）
ここで、
φｓ１１は第５レンズの像面側の光学有効径、
ＢＦＬ（ｍｉｎ）は光学有効径内での、第５レンズの像面側と像面との間の最短距離、
ＴＴＬは撮像光学系の光学全長、
２Ｙは固体撮像素子の撮像面対角線長（固体撮像素子の矩形実行画素領域の対角線長）
である。
【請求項２】
以下の条件式を満足することを特徴とする請求項１に記載の撮像光学系。
｜ν３−ν２｜＜１０              （３）
ここで、
ν２は第２レンズのアッベ数、
ν３は第３レンズのアッベ数
である。
【請求項３】
以下の条件式を満足することを特徴とする請求項１又は請求項２に記載の撮像光学系。
｜ｎ３−ｎ２｜＜０．０４          （４）
ｎ２＞１．６                      （５）
ここで、
ｎ２は第２レンズのｄ線に対する屈折率、
ｎ３は第３レンズのｄ線に対する屈折率
である。
【請求項４】
前記第５レンズの像面側の面は像側に凸形状であることを特徴とする請求項１から請求項３のいずれか１項に記載の撮像光学系。
【請求項５】
請求項１から請求項４のいずれか１項に記載の撮像光学系と、固体撮像素子と、オートフォーカス機構とを備えた事を特徴とする撮像装置。
【請求項６】
前記撮像光学系は、フォーカシング時に前記第１レンズのみを光軸方向に移動させることを特徴とする請求項５に記載の撮像装置。
【請求項７】
前記オートフォーカス機構が前記第２レンズより物体側の前記第１の外周に配置されることを特徴とする請求項６に記載の撮像装置。
【発明の詳細な説明】
【技術分野】
【０００１】
本発明は、撮像光学系及びそれを有する撮像装置に関する。
【背景技術】
【０００２】
近年、携帯電話、携帯端末機などの薄型化、タブレット端末の普及に伴い、これらが備えるカメラモジュールの光学系を極限まで薄型化することが求められている。また、撮像素子の高画素数化から、これらの光学系には高い解像度が求められている。
このような要求に応えるために、非球面レンズ５枚で構成された単焦点の光学系が数多く提案されている（例えば、特許文献１）。
また、カメラモジュールに対する高機能化の要望から、これらのカメラモジュールにはオートフォーカス機構（以下、ＡＦ機構という。）を備えたものが普及している（例えば、特許文献２）。
【先行技術文献】
【特許文献】
【０００３】
【特許文献１】特開２０１０−１９７６６５号公報
【特許文献２】特開２００７−４７２６６号公報
【発明の概要】
【発明が解決しようとする課題】
【０００４】
しかしながら、従来の光学系では、結像性能を高めながら、更なる光学全長の短縮化を図る観点で改善の余地がある。
さらに、オートフォーカス機構を備えたこれらのカメラモジュールに対しても、光学全長の短縮化と、良好な収差補正の両立が求められている。
【０００５】
本発明は上記従来における問題点を解決し、以下の目的を達成することを課題とする。即ち、本発明は、結像性能の高性能化及び光学全長の短縮化を図った撮像光学系を提供することを目的とする。
さらに、オートフォーカス機構を備えたカメラモジュールに対しても、光学全長の短縮化と、良好な収差補正の両立を図った撮像光学系及びそれを有する撮像装置を提供することを目的とする。
【課題を解決するための手段】
【０００６】
上記課題を解決するための手段としては、以下の通りである。即ち、本発明は、固体撮像素子上に被写体像を結像させる撮像光学系であって、物体側から順に、開口絞りと、正の屈折力を有する第１レンズと、負の屈折力を有する第２レンズと、正又は負の屈折力を有する第３レンズと、正の屈折力を有する第４レンズと、負の屈折力を有する第５レンズと、
からなり、以下の条件式を満足するものである。
７．５＜φｓ１１/ＢＦＬ（ｍｉｎ）＜１０    （１）
０．６＜ＴＴＬ/２Ｙ＜０．８５                                           （２）
ここで、
φｓ１１は第５レンズの像面側の光学有効径、
ＢＦＬ（ｍｉｎ）は光学有効径内での、第５レンズの像面側と像面との間の最短距離、
ＴＴＬは撮像光学系の光学全長、
２Ｙは固体撮像素子の撮像面対角線長（固体撮像素子の矩形実行画素領域の対角線長）
である。
【０００７】
また、本発明の撮像光学系において、以下の条件式を満足することが好ましい。
｜ν３−ν２｜＜１０               （３）
ここで、
ν２は第２レンズのアッベ数、
ν３は第３レンズのアッベ数
である。
【０００８】
また、本発明の撮像光学系において、以下の条件式を満足することが好ましい。
｜ｎ３−ｎ２｜＜０．０４            （４）
ｎ２＞１．６                        （５）
ここで、
ｎ２は第２レンズのｄ線に対する屈折率、
ｎ３は第３レンズのｄ線に対する屈折率
である。
【０００９】
また、本発明の撮像光学系において、前記第５レンズの像面側の面は像側に凸形状であることが好ましい。
【００１０】
また、本発明の撮像装置において、前記撮像光学系と、固体撮像素子と、オートフォーカス機構とを備えることが好ましい。
【００１１】
また、本発明の撮像装置において、前記撮像光学系は、フォーカス時に前記第１レンズのみを光軸方向に移動させることが好ましい。
【００１２】
また、本発明の撮像装置において、前記オートフォーカス機構が前記第２レンズより物体側の前記第１の外周に配置されることが好ましい。
【発明の効果】
【００１３】
本発明によれば、結像性能の高性能化及び光学全長の短縮化の両立を図ることができるという効果を奏する。
さらには、オートフォーカス機構を備えたカメラモジュールに対しても、光学全長の短縮化と、良好な収差補正の両立を図ることができるという効果を奏する。
【図面の簡単な説明】
【００１４】
【図１】本発明の実施例１にかかる撮像光学系の無限遠物点合焦時の光学構成を示す光軸に沿う断面図である。
【図２】実施例１にかかる撮像光学系の無限遠物点合焦時における球面収差（ＳＡ）、非点収差（ＡＳ）、歪曲収差（ＤＴ）を示す図である。
【図３】本発明の実施例２にかかる撮像光学系の無限遠物点合焦時の光学構成を示す光軸に沿う断面図である。
【図４】実施例２にかかる撮像光学系の無限遠物点合焦時における球面収差（ＳＡ）、非点収差（ＡＳ）、歪曲収差（ＤＴ）を示す図である。
【図５】本発明の実施例３にかかる撮像光学系の無限遠物点合焦時の光学構成を示す光軸に沿う断面図である。
【図６】実施例３にかかる撮像光学系の無限遠物点合焦時における球面収差（ＳＡ）、非点収差（ＡＳ）、歪曲収差（ＤＴ）を示す図である。
【図７】本発明の実施例４にかかる撮像光学系の無限遠物点合焦時の光学構成を示す光軸に沿う断面図である。
【図８】実施例４にかかる撮像光学系の無限遠物点合焦時における球面収差（ＳＡ）、非点収差（ＡＳ）、歪曲収差（ＤＴ）を示す図である。
【図９】本発明の実施例５にかかる撮像光学系の無限遠物点合焦時の光学構成を示す光軸に沿う断面図である。
【図１０】実施例５にかかる撮像光学系の無限遠物点合焦時における球面収差（ＳＡ）、非点収差（ＡＳ）、歪曲収差（ＤＴ）を示す図である。
【図１１】本発明の実施例６にかかる撮像光学系の無限遠物点合焦時の光学構成を示す光軸に沿う断面図である。
【図１２】実施例６にかかる撮像光学系の無限遠物点合焦時における球面収差（ＳＡ）、非点収差（ＡＳ）、歪曲収差（ＤＴ）を示す図である。
【図１３】本発明の実施例７にかかる撮像光学系の無限遠物点合焦時の光学構成を示す光軸に沿う断面図である。
【図１４】実施例７にかかる撮像光学系の無限遠物点合焦時における球面収差（ＳＡ）、非点収差（ＡＳ）、歪曲収差（ＤＴ）を示す図である。
【図１５】本発明の実施例８にかかる撮像光学系の無限遠物点合焦時の光学構成を示す光軸に沿う断面図である。
【図１６】実施例８にかかる撮像光学系の無限遠物点合焦時における球面収差（ＳＡ）、非点収差（ＡＳ）、歪曲収差（ＤＴ）を示す図である。
【図１７】本発明の実施例９にかかる撮像光学系の無限遠物点合焦時の光学構成を示す光軸に沿う断面図である。
【図１８】実施例９にかかる撮像光学系の無限遠物点合焦時における球面収差（ＳＡ）、非点収差（ＡＳ）、歪曲収差（ＤＴ）を示す図である。
【図１９】本発明の実施例１０にかかる撮像光学系の無限遠物点合焦時の光学構成を示す光軸に沿う断面図である。
【図２０】実施例１０にかかる撮像光学系の無限遠物点合焦時における球面収差（ＳＡ）、非点収差（ＡＳ）、歪曲収差（ＤＴ）を示す図である。
【図２１】本発明の実施例１１にかかる撮像光学系の無限遠物点合焦時の光学構成を示す光軸に沿う断面図である。
【図２２】実施例１１にかかる撮像光学系の無限遠物点合焦時における球面収差（ＳＡ）、非点収差（ＡＳ）、歪曲収差（ＤＴ）を示す図である。
【図２３】本発明の実施例１２にかかる撮像光学系の無限遠物点合焦時の光学構成を示す光軸に沿う断面図である。
【図２４】実施例１２にかかる撮像光学系の無限遠物点合焦時における球面収差（ＳＡ）、非点収差（ＡＳ）、歪曲収差（ＤＴ）を示す図である。
【図２５】本発明の実施例１３にかかる撮像光学系の無限遠物点合焦時の光学構成を示す光軸に沿う断面図である。
【図２６】実施例１３にかかる撮像光学系の無限遠物点合焦時における球面収差（ＳＡ）、非点収差（ＡＳ）、歪曲収差（ＤＴ）を示す図である。
【図２７】本発明の実施の形態に係る撮像装置の一例を示す断面図である。
【発明を実施するための形態】
【００１５】
以下、本発明の実施の形態を図面を参照して説明する。
図１は、本発明の実施の形態に係る撮像光学系の光学構成の一例を示す無限遠物点合焦時の光軸に沿う断面図である。図１の光学構成は、後述の第１の実施例の光学構成に対応している。
【００１６】
この撮像光学系は、図１に示すように、物体側より順に、開口絞りＳと、正の屈折力を有する第１レンズＬ１と、負の屈折力を有する第２レンズＬ２と、第３レンズＬ３と、正の屈折力を有する第４レンズＬ４と、負の屈折力を有する第５レンズＬ５を有している。なお、以下、全ての実施例において、光学構成断面図中、ＣＧはカバーガラス、Ｉは撮像素子の撮像面を示す。
【００１７】
図２７は、本実施の形態に係る撮像装置としてのカメラモジュールの概略的な構成を示す断面斜視図である。
図２７に示すようにカメラモジュール１００は、レンズ１０、２０、３０及び４０からなる各固定レンズ群と、これらの各固定レンズ群を位置決し、且つ保持する鏡枠６０と、この鏡枠６０の先端側である物体側に配置される可動レンズ５０と、この可動レンズ５０をフォーカスレンズとして光軸方向に移動させるアクチュエータ７０と、鏡枠６０の背面側である像側に配置される撮像素子８０と、これらを収めるハウジング１１０と、ハウジング１１０の背面側開口を塞ぐ基部９０とを有する。
【００１８】
オートフォーカス機構としてのアクチュエータ７０は、固定レンズ１０より物体側であって、可動レンズ５０の外周に配置される。
【００１９】
本発明におけるアクチュエータ７０として、可動レンズ５０を静電気力で移動させるＭＥＭＳ（Ｍｉｃｒｏ  Ｅｌｅｃｔｒｏ  Ｍｅｃｈａｎｉｃａｌ  Ｓｙｓｔｅｍｓ）アクチュエータを例に説明する。
【００２０】
ＭＥＭＳアクチュエータの構成としては、特に限定されず、公知の構成とすることができるが、例えば、特開２０１２−８５６９号に開示されるように、可動レンズが固定されるレンズマウント部（図示せず）と、レンズマウント部を介して可動レンズを光軸方向に移動させるための静電気力を発生させるコーム状（櫛状）の電極を有する駆動部（図示せず）を含むアクチュエータ基部とを備えている。
【００２１】
そして、所定の制御電圧をこのコーム状の電極に印加すると、レンズマウント部を介して可動レンズが上昇させられる。一方、駆動部への電圧の印加を停止すると、レンズの自重により可動レンズは下降する。また、例えば、携帯電話などにおいて、カメラ機能が起動された場合には、所定のスタンバイ電圧がＭＥＭＳアクチュエータに印加され、撮影時には、更に、所定のオートフォーカス制御電圧が印加されて、可動レンズを任意の位置に駆動してオートフォーカスが実現される。
【００２２】
なお、アクチュエータ６０としては、ＭＥＭＳアクチュエータに特に限定されることはなく、たとえば、公知の電磁誘導によりムービングマグネットを移動させるいわゆるボイスコイル方式のアクチュエータなどを用いることができる。
【００２３】
この撮像光学系の撮像面Ｉには、ＣＣＤ等の撮像素子が配置される。そして第５レンズＬ５と撮像素子との間には、レンズを装着するカメラ側の構成に応じて、種々の光学部材が配置されてもよい。例えば、撮像面保護用のカバーガラスや赤外線カットフィルタなどの平板状の光学部材が配置されていてもよい。
【００２４】
本実施の形態の撮像光学系は、以下の条件式を満足するものである。
７．５＜φｓ１１/ＢＦＬ（ｍｉｎ）＜１０           （１）
０．６＜ＴＴＬ/２Ｙ＜０．８５                                           （２）
ここで、
φｓ１１は第５レンズの像面側の光学有効径、
ＢＦＬ（ｍｉｎ）は光学有効径内での、第５レンズの像面側と像面との間の最短距離、
ＴＴＬは撮像光学系の光学全長、
２Ｙは固体撮像素子の撮像面対角線長（固体撮像素子の矩形実行画素領域の対角線長）
である。
【００２５】
条件式（１）は、第５レンズの像面側の光学有効径と、光学有効径内での、第５レンズの像面側と像面との間の最短距離とを適切に設定し、撮像光学系の光学全長の短縮化と、良好な収差補正の両立を可能とするための条件式である。
条件式（１）の下限値を上回ることで、第５レンズの光学有効径が大きくなり、その結果、第５レンズでの各象高での光線を分離することが可能となり良好に収差を補正することができる。一方、条件式（１）の上限値を下回ることで、撮像光学系の光学全長の短縮化が可能となる。
【００２６】
また、条件式（１）の数値範囲は、以下の条件式の数値範囲であることがより望ましい。
７．９＜φｓ１１/ＢＦＬ（ｍｉｎ）＜１０    （１Ａ）
また、以下の条件式（１Ｂ）の数値範囲であることがさらにより望ましい。
８．０＜φｓ１１/ＢＦＬ（ｍｉｎ）＜９．０  （１Ｂ）
または、以下の条件式（１Ｃ）の数値範囲であることがより望ましい。
７．５＜φｓ１１/ＢＦＬ（ｍｉｎ）＜９．０  （１Ｃ）  
また、以下の条件式（１Ｄ）の数値範囲であることがさらにより望ましい。
７．９＜φｓ１１/ＢＦＬ（ｍｉｎ）＜８．５  （１Ｄ）
【００２７】
条件式（２）は、小型の撮像光学系の尺度である。この範囲を満たすことで、撮像光学系全体の小型化及び光学全長の短縮化が可能となる。
【００２８】
また、条件式（２）の数値範囲は、以下の条件式の数値範囲であることがより望ましい。
０．７＜ＴＴＬ/２Ｙ＜０．８５                                           （２Ａ）
また、以下の条件式（２Ｂ）の数値範囲であることがさらにより望ましい。
０．７＜ＴＴＬ/２Ｙ＜０．８０                                           （２Ｂ）
【００２９】
また、本実施の形態の撮像光学系は、以下の条件式を満足することが望ましい。
｜ν３−ν２｜＜１０         （３）
ここで、
ν２は第２レンズのアッベ数、
ν３は第３レンズのアッベ数
である。
【００３０】
条件式（３）は、撮像光学系の色収差を良好に補正するための条件式である。条件式（３）の数値範囲とすることで倍率色収差や軸上色収差などの色収差をバランス良く補正することができる。
【００３１】
また、本実施の形態の撮像光学系は、以下の条件式を満足することが望ましい。
｜ｎ３−ｎ２｜＜０．０４    （４）
ｎ２＞１．６                （５）
ここで、
ｎ２は第２レンズのｄ線に対する屈折率、
ｎ３は第３レンズのｄ線に対する屈折率
である。
【００３２】
条件式（４）、（５）は、撮像光学系のコマ収差及び球面収差を良好に補正すると共に、光学全長の短縮化を図るための条件式である。条件式（４）、（５）の数値範囲とすることで、第２レンズ及び第３レンズの屈折率を最適化し、コマ収差及び球面収差を良好に補正すると共に、光学全長の短縮化を図ることができる。
【００３３】
また、本発明の撮像光学系は、フォーカス時に第１レンズのみを光軸方向に移動させる撮像装置に好適である。このようなフォーカス方法によれば、第５レンズと像面との間の距離を常に一定とすることが可能となり、また、フォーカス時のレンズ移動量を撮像光学系全体を移動させるものに対して小さくできる。そして、本発明の撮像光学系では、第５レンズの像面側の光学有効径と、光学有効径内での、第５レンズの像面側と像面との間の最短距離と、を適切に設定している。これらにより本発明の撮像光学系は、光学全長の短縮化と、良好な収差補正の両立を可能とするものである。
【００３４】
また、本発明の撮像光学系は、オートフォーカス機構が第２レンズより物体側の第１の外周に配置される撮像装置に好適である。従って、本発明の撮像装置は、オートフォーカス機構を含むカメラモジュール全体として小型化を図ることが可能となる。
【実施例】
【００３５】
次に本発明の撮像光学系の具体的な数値実施例を示す。各実施例において使用する記号は下記の通りである。
【００３６】
ｆ      ：撮像光学系全系の焦点距離
ＦＮＯ  ：Ｆナンバー
２Ｙ    ：撮像素子の撮像面対角線長
ｒ      ：近軸曲率半径
ｄ      ：光軸上のレンズの厚み又は空気間隔
ｎｄ    ：レンズ材料のｄ線に対する屈折率
νｄ    ：レンズ材料のアッベ数
また、各実施例において、各面番号の後に「＊」が記載されている面が非球面形状を有する面である。
【００３７】
また、非球面形状は、光軸方向をｚ、光軸に直交する方向をｙにとり、円錐係数をＫ、非球面係数をＡ４、Ａ６、Ａ８、Ａ１０・・としたとき、次の式（Ｉ）で表される。
ｚ＝（ｙ２／ｒ）／［１＋｛１−（１＋Ｋ）（ｙ／ｒ）２｝１／２］＋Ａ４ｙ４＋Ａ６ｙ６＋Ａ８ｙ８＋Ａ１０ｙ１０  ・・・（Ｉ）
なお、非球面係数において、Ｅは１０のべき乗数を示し、例えば、２．３×１０−２は、２．３Ｅ−００２と表すものとする。また、これら諸元値の記号は後述の実施例の数値データにおいても共通である。
【００３８】
（実施例１）
次に、実施例１に係る撮像光学系について説明する。
図１は、実施例１に係る撮像光学系の光学構成を示す断面図である。
【００３９】
図２は、実施例１に係る撮像光学系の（ａ）球面収差（ＳＡ）、（ｂ）非点収差（ＡＳ）及び、歪曲収差（ＤＴ）を示す図である。なお、収差図における記号は、後述の実施例においても共通である。
【００４０】
この撮像光学系は、図１に示すように、物体側より順に、開口絞りＳと、両凸形状の正の屈折力を有する第１レンズＬ１と、両凹形状の負の屈折力を有する第２レンズＬ２と、物体側に凸面を向けたメニスカス形状の正の屈折力を有する第３レンズＬ３と、像側に凸面を向けたメニスカス形状の正の屈折力を有する第４レンズＬ４と、像側に凸面を向けたメニスカス形状の負の屈折力を有する第５レンズＬ５を有している。
【００４１】
実施例１の撮像光学系の全体諸元を以下に示す。
ｆ      ：３．９９ｍｍ
ＦＮＯ  ：２．４０
２Ｙ    ：６．１０ｍｍ
実施例１の撮像光学系の面データを以下に示す。
単位ｍｍ
面データ
面番号   
r            d        
nd           νd        有効半径（ｍｍ）
物面     ∞          ∞
1(絞り)∞         -0.2460
0.83
2*    1.5427       0.6470    
1.53501      55.68      
0.89
3*  -38.6761       0.0853                             
0.92
4*  -47.9699       0.2897    
1.63549      23.91      
0.93
5*    2.6952       0.4194                             
0.97
6*    2.8539       0.3272    
1.63549      23.91      
1.29
7*    3.1283       0.3806                             
1.45
8*  -16.3133       0.5094     1.53501  
55.68       1.55
9* 
-1.7382       0.8882                              1.75
10*   -1.3787       0.3744    
1.53501      55.68      
2.50
11*  -25004.5       0.4306                             
2.66
12      ∞          0.1100    
1.51226      56.30      
3.03
13      ∞          0.1121                            
3.06
像面（撮像面）∞                                        
非球面データ
第２面
K=-7.33916E-001
A4=1.45372E-002,A6=7.18666E-002,A8=-1.30367E-001,A10=1.44120E-001,A12=-4.38172E-002 
第３面
K=-1.29566E+002
A4=2.51977E-002,A6=1.29330E-002,A8=-5.68696E-002,A10=1.98406E-001,A12=-8.87337E-002
第４面
K=2.47784E-003
A4=-2.69187E-002,A6=1.81549E-001,A8=-4.15519E-001,A10=5.73396E-001,A12=-2.67620E-001
第５面
K=-4.88021E+000
A4=7.71479E-003,A6=1.51384E-001,A8=-2.10346E-001,A10=1.82266E-001,A12=-4.03656E-002
第６面
K=-1.63521E+001
A4=-6.47268E-002,A6=9.54820E-002,A8=-9.98103E-002,A10=5.82800E-002,A12=-1.55065E-002
第７面
K=-1.18686E+001
A4=-9.28486E-002,A6=8.31231E-002,A8=-6.79076E-002,A10=3.39048E-002,A12=-6.76913E-003
第８面
K=-2.72442E+002
A4=-6.07287E-002,A6=5.40181E-002,A8=-3.45686E-002,A10=4.20103E-003,A12=2.86053E-003,A14=-6.29086E-004
第９面
K=-1.56782E+000
A4=3.90324E-003,A6=3.28944E-002,A8=-1.90823E-003,A10=-2.70234E-003,A12=-1.34593E-004,A14=1.55312E-004
第１０面
K=-1.61882E+000
A4=4.31618E-002,A6=-5.51005E-003,A8=7.53165E-004,A10=-3.15115E-005,A12=-7.12741E-006,A14=3.01759E-007,A16=5.97562E-008
第１１面
K=-4.74362E+001
A4=-1.95846E-002,A6=2.45823E-003,A8=-9.41973E-005,A10=-6.72800E-005,A12=-3.87971E-006,A14=2.39104E-006,A16=-1.17143E-007
実施例１の撮像光学系の条件式（１）〜（５）に対応する値を以下に示す。
（１）φｓ１１/ＢＦＬ（ｍｉｎ）＝８．１３
（２）ＴＴＬ/２Ｙ＝０．７５
（３）｜ν３−ν２｜＝０
（４）｜ｎ３−ｎ２｜＝０
（５）ｎ２＝１．６３５４９
実施例１において、全てのレンズはプラスチック材料から形成されている。
【００４２】
（実施例２）
次に、実施例２に係る撮像光学系について説明する。
図３は、実施例２に係る撮像光学系の光学構成を示す断面図である。
【００４３】
図４は、実施例２にかかる撮像光学系の（ａ）球面収差（ＳＡ）、（ｂ）非点収差（ＡＳ）及び、歪曲収差（ＤＴ）を示す図である。
【００４４】
この撮像光学系は、図３に示すように、物体側より順に、開口絞りＳと、両凸形状の正の屈折力を有する第１レンズＬ１と、像側に凸面を向けたメニスカス形状の負の屈折力を有する第２レンズＬ２と、物体側に凸面を向けたメニスカス形状の正の屈折力を有する第３レンズＬ３と、像側に凸面を向けたメニスカス形状の正の屈折力を有する第４レンズＬ４と、両凹形状の負の屈折力を有する第５レンズＬ５を有している。
【００４５】
実施例２の撮像光学系の全体諸元を以下に示す。
ｆ      ：３．７３ｍｍ
ＦＮＯ  ：２．６０
２Ｙ    ：６．００ｍｍ
実施例２の撮像光学系の面データを以下に示す。
単位ｍｍ
面データ
面番号   
r            d        
nd           νd        有効半径（ｍｍ）
物面     ∞          ∞
1(絞り)∞         -0.0750
0.72
2*    1.6193       0.6557     1.53450    
57.09       0.87
3*   -7.6661       0.1149                             
0.95
4*   -1.6267       0.2900    
1.61422      25.58      
0.97
5*   -5.6684       0.1904                
0.98
6*    1.3940       0.3002    
1.53450      57.09      
1.21
7*    1.6832       0.5243                             
1.42
8*   -2.6147       0.4527     1.53450  
57.09       1.49
9*   -1.2461       0.7468                              1.71
10*   -2.0833       0.3500    
1.53450      57.09      
2.46
11*    3.8542       0.4417                             
2.59
12      ∞          0.2100    
1.51633      64.14      
2.96
13      ∞          0.1000                            
3.02
像面（撮像面）∞                                        
非球面データ
第２面
K= -1.03704E+000
A4=9.28970E-003,A6=-1.00440E-002,A8=1.62485E-002,A10=-7.97739E-002 
第３面
K=-1.50194E+002
A4=2.39740E-002,A6=-2.17092E-001,A8=4.16387E-001,A10=-3.04418E-001
第４面
K=-1.07266E+001
A4=2.47748E-001,A6=-3.80790E-001,A8=5.60320E-001,A10=-2.74738E-001
第５面
K=-2.89957E+001
A4=3.39469E-001,A6=-2.98278E-001,A8=1.97662E-001,A10=3.02192E-002,A12=-2.30242E-002
第６面
K=-7.85347E+000
A4=1.10785E-001,A6=-8.11839E-002,A8=-5.01086E-002,A10=6.66185E-002,A12=-3.30551E-002
第７面
K=-8.92872E+000
A4=8.49898E-002,A6=-1.89137E-002,A8=-6.19574E-002,A10=3.43825E-002,A12=-7.24599E-003
第８面
K=-1.77196E+000
A4=-2.92517E-002,A6=8.79632E-002,A8=-4.44064E-002,A10=1.60872E-002,A12=-2.89741E-003,A14=-4.73557E-004
第９面
K=-2.64711E+000
A4=-4.50618E-002,A6=6.32599E-002,A8=1.76462E-002,A10=-1.71104E-002,A12=2.70337E-003,A14=-4.11716E-005
第１０面
K=-3.47338E+000
A4=6.64702E-003,A6=-2.09830E-005,A8=7.89670E-004,A10=-1.57684E-004,A12=7.02508E-006,A14=3.51417E-007,A16=1.38942E-010
第１１面
K=-3.68404E+001
A4=-2.73135E-002,A6=2.00949E-003,A8=-2.37070E-004,A10=1.16563E-004,A12=-4.16826E-005,A14=4.02052E-006,A16=-7.45879E-010
実施例２の撮像光学系の条件式（１）〜（５）に対応する値を以下に示す。
（１）φｓ１１/ＢＦＬ（ｍｉｎ）＝７．５８
（２）ＴＴＬ/２Ｙ＝０．７３
（３）｜ν３−ν２｜＝３１．５１
（４）｜ｎ３−ｎ２｜＝０．０７９７２
（５）ｎ２＝１．６１４２２
実施例２において、全てのレンズはプラスチック材料から形成されている。
【００４６】
（実施例３）
次に、実施例３に係る撮像光学系について説明する。
図５は、実施例３に係る撮像光学系の光学構成を示す断面図である。
【００４７】
図６は、実施例３にかかる撮像光学系の（ａ）球面収差（ＳＡ）、（ｂ）非点収差（ＡＳ）及び、歪曲収差（ＤＴ）を示す図である。
【００４８】
この撮像光学系は、図５に示すように、物体側より順に、開口絞りＳと、両凸形状の正の屈折力を有する第１レンズＬ１と、両凹形状の負の屈折力を有する第２レンズＬ２と、物体側に凸面を向けたメニスカス形状の正の屈折力を有する第３レンズＬ３と、像側に凸面を向けたメニスカス形状の正の屈折力を有する第４レンズＬ４と、両凹形状の負の屈折力を有する第５レンズＬ５を有している。
【００４９】
実施例３の撮像光学系の全体諸元を以下に示す。
ｆ      ：４．１３ｍｍ
ＦＮＯ  ：２．４０
２Ｙ    ：５．８８ｍｍ
実施例３の撮像光学系の面データを以下に示す。
単位ｍｍ
面データ
面番号   
r            d        
nd           νd        有効半径（ｍｍ）
物面     ∞          ∞
1(絞り)∞         -0.2699                              0.87
2*    1.5388       0.6173    1.5345      57.095        0.92
3*  -14.2298       0.0980                              0.94
4*  -13.2207       0.3000   
1.6142     
25.577        0.95
5*    2.5624       0.4326                              0.97
6*    2.6012       0.3349   
1.6142      25.577        1.30
7*    3.1253      
0.4796                              1.45
8* -112.9085       0.4741    1.5345  
57.095        1.64
9*   -2.1884       0.8298                              1.83
10*   -1.7473       0.3858   
1.5345     
57.095        2.44
11*    9.7918       0.3631                              2.58
12      ∞          0.2100   
1.5163      64.142        2.94
13      ∞          0.1000                              3.02 
像面（撮像面）∞                                         
非球面データ
第２面
K=-4.68450E-001
A4=2.52556E-002,A6=-1.57039E-002,A8=3.03188E-002,A10=-1.51590E-002
第３面
K=-5.00016E+002
A4=6.67790E-003,A6=1.41458E-002,A8=-3.84517E-002,A10=2.67180E-002
第４面
K=-3.40270E+002
A4=-4.99626E-003,A6=4.30774E-002,A8=-4.99150E-002,A10=3.18481E-002
第５面
K=-6.41864E+000
A4=3.15819E-002,A6=1.18938E-001,A8=-1.22056E-001,A10=8.51258E-002
第６面
K=-1.91978E+001
A4=-3.07544E-005,A6=-2.92839E-002,A8=2.67646E-002,A10=-6.31535E-003,A12=-1.90446E-003
第７面
K=-1.40307E+001
A4=-5.07086E-002,A6=9.42081E-003,A8=8.82177E-004,A10=5.41915E-003,A12=-2.47933E-003
第８面
K=0.00000E+000
A4=-1.94307E-003,A6=-1.90412E-002,A8=2.76310E-003,A10=1.03551E-003,A12=-1.74019E-004
第９面
K=-3.94249E+000
A4=3.37575E-002,A6=-1.24618E-002,A8=1.15516E-002,A10=-4.66708E-003,A12=5.75580E-004
第１０面
K=-3.38173E+000
A4=1.68197E-003,A6=4.27724E-003,A8=-4.17322E-004,A10=-4.88094E-005,A12=1.31240E-005,A14=-6.67304E-007
第１１面
K=-1.35740E+002
A4=-2.39729E-002,A6=6.47670E-003,A8=-1.63113E-003,A10=1.00738E-004,A12=4.48024E-007,A14=5.72608E-007
実施例３の撮像光学系の条件式（１）〜（５）に対応する値を以下に示す。
（１）φｓ１１/ＢＦＬ（ｍｉｎ）＝７．９３
（２）ＴＴＬ/２Ｙ＝０．７９
（３）｜ν３−ν２｜＝０
（４）｜ｎ３−ｎ２｜＝０
（５）ｎ２＝１．６１４２
実施例３において、全てのレンズはプラスチック材料から形成されている。
【００５０】
（実施例４）
次に、実施例４に係る撮像光学系について説明する。
図７は、実施例４に係る撮像光学系の光学構成を示す断面図である。
【００５１】
図８は、実施例４にかかる撮像光学系の（ａ）球面収差（ＳＡ）、（ｂ）非点収差（ＡＳ）及び、歪曲収差（ＤＴ）を示す図である。
【００５２】
この撮像光学系は、図７に示すように、物体側より順に、開口絞りＳと、両凸形状の正の屈折力を有する第１レンズＬ１と、両凹形状の負の屈折力を有する第２レンズＬ２と、物体側に凸面を向けたメニスカス形状の正の屈折力を有する第３レンズＬ３と、像側に凸面を向けたメニスカス形状の正の屈折力を有する第４レンズＬ４と、両凹形状の負の屈折力を有する第５レンズＬ５を有している。
【００５３】
実施例４の撮像光学系の全体諸元を以下に示す。
ｆ      ：３．７５ｍｍ
ＦＮＯ  ：２．４０
２Ｙ    ：６．０２ｍｍ
実施例４の撮像光学系の面データを以下に示す。
単位ｍｍ
面データ
面番号   
r            d        
nd           νd        有効半径（ｍｍ）
物面     ∞          ∞
1(絞り)∞         -0.1500                              0.78
2*    1.6760       0.6194  
1.5345     57.095        0.88
3*  -13.6487       0.1050                              0.95
4*   -8.6356       0.3000    
1.6142     25.577        0.99
5*    3.6889       0.3619                              1.00
6*    1.9772       0.2961    
1.6142    
25.577        1.24
7*    1.9891       0.3369                             
1.44
8*  -32.7219       0.5865    
1.5345     57.095       
1.56
9*   -1.5644       0.7643                             
1.78
10*   -1.8049       0.4314    
1.5345     57.095       
2.56
11*    5.7501       0.3984                             
2.72
12      ∞          0.2100    
1.5168     64.167       
2.99
13      ∞          0.1103                             
3.03
像面（撮像面）∞                                        
非球面データ
第２面
K=-8.86043E-001
A4=1.66787E-002,A6=1.06976E-002,A8=-7.67989E-002,A10=1.30646E-001,A12=-7.72363E-002
第３面
K=-2.09576E+002
A4=-1.23077E-003,A6=-1.46625E-003,A8=-1.13484E-001,A10=3.37695E-001,A12=-1.94151E-001
第４面
K=-2.54963E+002
A4=-2.72859E-002,A6=1.85056E-001,A8=-3.82679E-001,A10=5.59921E-001,A12=-2.50562E-001
第５面
K=-8.22050E+000
A4=7.34214E-004,A6=1.97152E-001,A8=-2.91715E-001,A10=2.32254E-001,A12=-3.85583E-002
第６面
K=-1.03181E+001
A4=-7.87415E-002,A6=9.44373E-002,A8=-1.11033E-001,A10=6.78203E-002,A12=-2.23099E-002
第７面
K=-7.19816E+000
A4=-1.02075E-001,A6=9.58086E-002,A8=-7.72564E-002,A10=3.22091E-002,A12=-5.75984E-003
第８面
K=-2.11751E+002
A4=-5.51525E-002,A6=6.83539E-002,A8=-4.45487E-002,A10=1.09125E-002,A12=3.06968E-003,A14=-1.52757E-003
第９面
K=-1.92465E+000
A4=-8.83973E-004,A6=2.94311E-002,A8=6.16575E-003,A10=-4.14210E-003,A12=-4.41098E-004,A14=1.91475E-004
第１０面
K=-9.50957E-001
A4=4.05554E-002,A6=-6.72721E-004,A8=-3.81550E-005,A10=-1.86211E-005,A12=6.13566E-007,A14=-7.12013E-008,A16=3.36438E-008
第１１面
K=-5.06518E+000
A4=-4.08181E-002,A6=7.60014E-003,A8=-1.01681E-003,A10=2.96477E-005,A12=1.19538E-006,A14=3.53411E-007,A16=-1.10523E-008
実施例４の撮像光学系の条件式（１）〜（５）に対応する値を以下に示す。
（１）φｓ１１/ＢＦＬ（ｍｉｎ）＝８．１９
（２）ＴＴＬ/２Ｙ＝０．７５
（３）｜ν３−ν２｜＝０
（４）｜ｎ３−ｎ２｜＝０
（５）ｎ２＝１．６１４２
実施例４において、全てのレンズはプラスチック材料から形成されている。
【００５４】
（実施例５）
次に、実施例５に係る撮像光学系について説明する。
図９は、実施例５に係る撮像光学系の光学構成を示す断面図である。
【００５５】
図１０は、実施例５にかかる撮像光学系の（ａ）球面収差（ＳＡ）、（ｂ）非点収差（ＡＳ）及び、歪曲収差（ＤＴ）を示す図である。
【００５６】
この撮像光学系は、図９に示すように、物体側より順に、開口絞りＳと、両凸形状の正の屈折力を有する第１レンズＬ１と、両凹形状の負の屈折力を有する第２レンズＬ２と、物体側に凸面を向けたメニスカス形状の正の屈折力を有する第３レンズＬ３と、像側に凸面を向けたメニスカス形状の正の屈折力を有する第４レンズＬ４と、両凹形状の負の屈折力を有する第５レンズＬ５を有している。
【００５７】
実施例５の撮像光学系の全体諸元を以下に示す。
ｆ      ：３．７０ｍｍ
ＦＮＯ  ：２．４０  
２Ｙ    ：５．９６ｍｍ
実施例５の撮像光学系の面データを以下に示す。
単位ｍｍ
面データ
面番号   
r            d        
nd           νd        有効半径（ｍｍ）
物面     ∞          ∞
1(絞り)∞         -0.15                                0.77
2*    1.6468       0.6198   
1.5345      57.095      0.87
3*  -14.8172       0.0938                              0.93
4*  -21.3903       0.3000      1.6142      25.577      0.97
5*    2.9799       0.3771                              0.98
6*    2.3428       0.3047      1.6142      25.577      1.24
7*    2.3024       0.2924                 
1.44
8*  -24.8476       0.5850      1.5345 
57.095      1.54
9*   -1.4929       0.7741                             
1.74
10*   -1.6924       0.4032      1.5345 
57.095      2.52
11*    5.9081       0.4003         
2.68
12      ∞          0.2100      1.5168 
64.167      2.96
13      ∞          0.1103                             
3.01
像面（撮像面）∞                                        
非球面データ
第２面
K=-8.59494E-001
A4=1.77904E-002,A6=1.22225E-002,A8=-7.43844E-002,A10=1.36258E-001,A12=-8.77277E-002
第３面
K=-5.92987E+001
A4=-2.60463E-003,A6=6.08184E-003,A8=-9.04600E-002,A10=3.49128E-001,A12=-2.42843E-001
第４面
K=-2.14412E+002
A4=-2.76877E-002,A6=1.88453E-001,A8=-3.69953E-001,A10=5.74033E-001,A12=-2.80837E-001
第５面
K=-7.15637E+000
A4=2.00198E-003,A6=1.99838E-001,A8=-2.82576E-001,A10=2.41274E-001,A12=-4.90354E-002
第６面
K=-1.67701E+001
A4=-7.17889E-002,A6=9.88682E-002,A8=-1.11006E-001,A10=6.63594E-002,A12=-1.95202E-002
第７面
K=-9.69399E+000
A4=-9.96312E-002,A6=9.70022E-002,A8=-7.62580E-002,A10=3.27589E-002,A12=-5.97083E-003
第８面
K=-3.00000E+002
A4=-5.17137E-002,A6=6.63564E-002,A8=-4.51579E-002,A10=1.09754E-002,A12=3.11956E-003,A14=-1.45852E-003
第９面
K=-1.80449E+000
A4=7.71183E-004,A6=3.04031E-002,A8=6.20556E-003,A10=-4.20253E-003,A12=-4.23214E-004,A14=1.90701E-004
第１０面
K=-9.98493E-001
A4=4.15430E-002,A6=-4.34626E-004,A8=-1.27937E-005,A10=-2.05560E-005,A12=-7.02829E-007,A14=-2.17561E-007,A16=6.89300E-008
第１１面
K=-1.11235E+001
A4=-3.88965E-002,A6=7.71611E-003,A8=-1.04337E-003,A10=2.58992E-005,A12=1.16318E-006,A14=3.94821E-007,A16=-3.89146E-009
実施例５の撮像光学系の条件式（１）〜（５）に対応する値を以下に示す。
（１）φｓ１１/ＢＦＬ（ｍｉｎ）＝８．００
（２）ＴＴＬ/２Ｙ＝０．７５
（３）｜ν３−ν２｜＝０
（４）｜ｎ３−ｎ２｜＝０
（５）ｎ２＝１．６１４２
実施例５において、全てのレンズはプラスチック材料から形成されている。
【００５８】
（実施例６）
次に、実施例６に係る撮像光学系について説明する。
図１１は、実施例６に係る撮像光学系の光学構成を示す断面図である。
【００５９】
図１２は、実施例６にかかる撮像光学系の（ａ）球面収差（ＳＡ）、（ｂ）非点収差（ＡＳ）及び、歪曲収差（ＤＴ）を示す図である。
【００６０】
この撮像光学系は、図１１に示すように、物体側より順に、開口絞りＳと、物体側に凸面を向けたメニスカス形状の正の屈折力を有する第１レンズＬ１と、両凹形状の負の屈折力を有する第２レンズＬ２と、物体側に凸面を向けたメニスカス形状の正の屈折力を有する第３レンズＬ３と、像側に凸面を向けたメニスカス形状の正の屈折力を有する第４レンズＬ４と、両凹形状の負の屈折力を有する第５レンズＬ５を有している。
【００６１】
実施例６の撮像光学系の全体諸元を以下に示す。
ｆ      ：３．３６ｍｍ
ＦＮＯ  ：２．４０
２Ｙ    ：５．８８ｍｍ
実施例６の撮像光学系の面データを以下に示す。
単位ｍｍ
面データ
面番号   
r            d        
nd           νd        有効半径（ｍｍ）
物面     ∞          ∞
1(絞り)∞         -0.1905                              0.70
2*    1.3573       0.5994     1.5312      56.044       0.75
3*   14.2018       0.0700                             
0.81
4*  -17.1646       0.2000    
1.6355      23.911      
0.82
5*    4.3469       0.2781                
0.85
6*    3.0195       0.2000     1.6355 
23.911       1.01
7*    3.2903       0.3350                             
1.17
8*   -6.9049       0.6000    
1.5312      56.044      
1.44
9*   -1.1623       0.4972        
1.67
10*   -3.0656       0.3500    
1.5312      56.044      
2.28
11*    1.5011       0.5625                             
2.53
12      ∞          0.1100    
1.5122      56.303      
2.93
13      ∞          0.1128                             
2.97 
像面（撮像面）∞                                        
非球面データ
第２面
K=-4.97393E-001
A4=1.05459E-002,A6=5.59402E-002,A8=-1.00562E-001 
第３面
K=-2.00810E+002
A4=-1.46102E-001,A6=2.81261E-001,A8=-7.79795E-001,A10=5.85516E-001
第４面
K=-5.00000E+002
A4=-1.33399E-001,A6=4.84100E-001,A8=-9.56591E-001,A10=7.66374E-001
第５面
K=-1.88068E+001 
A4=3.41837E-002,A6=3.75750E-001,A8=-5.40580E-001,A10=4.58229E-001
第６面
K=-4.60698E+001
A4=-1.86549E-002,A6=-2.51772E-001,A8=2.81210E-001,A10=-1.37663E-001
第７面
K=-6.34052E+000
A4=-1.28282E-001,A6=-1.27199E-002,A8=5.86277E-003,A10=8.88073E-003
第８面
K=-1.47948E+001
A4=-1.26769E-002,A6=3.83213E-002,A8=-1.89860E-002,A10=-1.19322E-002,A12=5.72217E-003
第９面
K=-3.37555E+000
A4=-3.14723E-002,A6=1.55329E-002,A8=5.21242E-002,A10=-3.39286E-002,A12=5.54184E-003
第１０面
K=-5.25307E-001
A4=-7.78285E-002,A6=3.58931E-002,A8=-7.07199E-004,A10=-1.30690E-003,A12=1.45136E-004
第１１面
K=-1.17742E+001
A4=-7.97709E-002,A6=2.72959E-002,A8=-6.50939E-003,A10=7.84339E-004,A12=-3.84924E-005
実施例６の撮像光学系の条件式（１）〜（５）に対応する値を以下に示す。
（１）φｓ１１/ＢＦＬ（ｍｉｎ）＝８．０５
（２）ＴＴＬ/２Ｙ＝０．６６
（３）｜ν３−ν２｜＝０
（４）｜ｎ３−ｎ２｜＝０
（５）ｎ２＝１．６３５５
実施例６おいて、全てのレンズはプラスチック材料から形成されている。
【００６２】
（実施例７）
次に、実施例７に係る撮像光学系について説明する。
図１３は、実施例７に係る撮像光学系の光学構成を示す断面図である。
【００６３】
図１４は、実施例７にかかる撮像光学系の（ａ）球面収差（ＳＡ）、（ｂ）非点収差（ＡＳ）及び、歪曲収差（ＤＴ）を示す図である。
【００６４】
この撮像光学系は、図１３に示すように、物体側より順に、開口絞りＳと、物体側に凸面を向けたメニスカス形状の正の屈折力を有する第１レンズＬ１と、両凹形状の負の屈折力を有する第２レンズＬ２と、物体側に凸面を向けたメニスカス形状の正の屈折力を有する第３レンズＬ３と、像側に凸面を向けたメニスカス形状の正の屈折力を有する第４レンズＬ４と、両凹形状の負の屈折力を有する第５レンズＬ５を有している。
【００６５】
実施例７の撮像光学系の全体諸元を以下に示す。
ｆ      ：３．５８ｍｍ
ＦＮＯ  ：２．４０
２Ｙ    ：６．０４ｍｍ
実施例７の撮像光学系の面データを以下に示す。
単位ｍｍ
面データ
面番号   
r            d        
nd           νd        有効半径（ｍｍ）
物面     ∞          ∞
1(絞り)∞         -0.2176                              0.75
2*    1.3605       0.6304     1.5312      56.044       0.80
3*   12.6765       0.0700                             
0.84
4*   -8.5358       0.2518     1.6355
23.911       0.85
5*    7.0416       0.3660                             
0.87
6*    4.1286       0.2775    
1.6355      23.911      
1.04
7*    3.2262       0.2649                             
1.26
8*   -9.9054       0.6000    
1.5312      56.044      
1.48
9*   -1.2644       0.5975                             
1.67
10*   -3.3990       0.3500     1.5312 
56.044       2.26
11*    1.5442       0.5625                             
2.68
12      ∞          0.1100   
1.5123      56.3032     
3.01
13      ∞          0.0601                             
3.05 
像面（撮像面）∞                                        
非球面データ
第２面
K=-5.17199E-001
A4=6.39391E-003,A6=6.85564E-002,A8=-8.82106E-002 
第３面
K=-7.04571E+000
A4=-1.41773E-001,A6=2.80808E-001,A8=-7.81588E-001,A10=5.84112E-001
第４面
K=-3.06331E+002
A4=-1.32036E-001,A6=4.79661E-001,A8=-9.68813E-001,A10=7.38487E-001
第５面
K=-8.59580E+000 
A4=3.72837E-002,A6=3.75766E-001,A8=-5.48096E-001,A10=4.40471E-001
第６面
K=-1.28506E+002
A4=-5.48640E-002,A6=-2.07985E-001,A8=2.70144E-001,A10=-1.57404E-001
第７面
K=-3.16007E+001
A4=-8.67255E-002,A6=-1.20766E-002,A8=-1.10747E-002,A10=2.05317E-003
第８面
K=-3.88612E+002
A4=-1.94410E-002,A6=3.62342E-002,A8=-1.82926E-002,A10=-1.17027E-002,A12=5.56699E-003
第９面
K=-4.06091E+000
A4=-4.26017E-002,A6=1.52566E-002,A8=5.27762E-002,A10=-3.36736E-002,A12=5.61230E-003
第１０面
K=-1.53919E-001
A4=-8.19614E-002,A6=3.61657E-002,A8=-4.93392E-004,A10=-1.28451E-003,A12=1.35218E-004
第１１面
K=-1.02201E+001
A4=-7.41297E-002,A6=2.58771E-002,A8=-6.07841E-003,A10=7.97240E-004,A12=-4.27290E-005
実施例７の撮像光学系の条件式（１）〜（５）に対応する値を以下に示す。
（１）φｓ１１/ＢＦＬ（ｍｉｎ）＝９．６２
（２）ＴＴＬ/２Ｙ＝０．６８
（３）｜ν３−ν２｜＝０
（４）｜ｎ３−ｎ２｜＝０
（５）ｎ２＝１．６３５５
実施例７おいて、全てのレンズはプラスチック材料から形成されている。
【００６６】
（実施例８）
次に、実施例８に係る撮像光学系について説明する。
図１５は、実施例８に係る撮像光学系の光学構成を示す断面図である。
【００６７】
図１６は、実施例８にかかる撮像光学系の（ａ）球面収差（ＳＡ）、（ｂ）非点収差（ＡＳ）及び、歪曲収差（ＤＴ）を示す図である。
【００６８】
この撮像光学系は、図１５に示すように、物体側より順に、開口絞りＳと、両凸形状の正の屈折力を有する第１レンズＬ１と、両凹形状の負の屈折力を有する第２レンズＬ２と、物体側に凸面を向けたメニスカス形状の正の屈折力を有する第３レンズＬ３と、像側に凸面を向けたメニスカス形状の正の屈折力を有する第４レンズＬ４と、像側に凸面を向けたメニスカス形状の負の屈折力を有する第５レンズＬ５を有している。
【００６９】
実施例８の撮像光学系の全体諸元を以下に示す。
ｆ      ：３．９９ｍｍ
ＦＮＯ  ：２．４０
２Ｙ    ：６．１０ｍｍ
ＢＦＬ（ｍｉｎ）：０．６５３ｍｍ
φｓ１１  ：  ５．２９２ｍｍ
ＴＴＬ  ：  ４．５７４ｍｍ
実施例８の撮像光学系の面データを以下に示す。
単位ｍｍ
面データ
面番号   
r            d        
nd           νd        有効半径（ｍｍ）
物面     ∞          ∞
1(絞り)∞         -0.2460
0.83
2*    1.5428       0.6470    
1.53501      55.68      
0.88
3*  -38.6761       0.0853                             
0.91
4*  -47.9699       0.2897    
1.63401      23.84      
0.93
5*    2.6952       0.4194                              0.96
6*    2.8539       0.3272    
1.63401      23.84      
1.28
7*    3.1283       0.3806                             
1.44
8*  -16.3133       0.5094     1.53501  
55.68       1.54
9*   -1.7382       0.8882                              1.74
10*   -1.3787       0.3744    
1.53501      55.68      
2.48
11*  -25004.5       0.4306                             
2.65
12      ∞          0.1100    
1.51226      56.30      
3.03
13      ∞          0.1121                            
3.06
像面（撮像面）∞                                        
非球面データ
第２面
K=-7.33916E-001
A4=1.45372E-002,A6=7.18666E-002,A8=-1.30367E-001,A10=1.44120E-001,A12=-4.38172E-002 
第３面
K=-1.29566E+002
A4=2.51977E-002,A6=1.29330E-002,A8=-5.68696E-002,A10=1.98406E-001,A12=-8.87337E-002
第４面
K=2.47784E-003
A4=-2.69187E-002,A6=1.81549E-001,A8=-4.15519E-001,A10=5.73396E-001,A12=-2.67620E-001
第５面
K=-4.88021E+000
A4=7.71479E-003,A6=1.51384E-001,A8=-2.10346E-001,A10=1.82266E-001,A12=-4.03656E-002
第６面
K=-1.63521E+001
A4=-6.47268E-002,A6=9.54820E-002,A8=-9.98103E-002,A10=5.82800E-002,A12=-1.55065E-002
第７面
K=-1.18686E+001
A4=-9.28486E-002,A6=8.31231E-002,A8=-6.79076E-002,A10=3.39048E-002,A12=-6.76913E-003
第８面
K=-2.72442E+002
A4=-6.07287E-002,A6=5.40181E-002,A8=-3.45686E-002,A10=4.20103E-003,A12=2.86053E-003,A14=-6.29086E-004
第９面
K=-1.56782E+000
A4=3.90324E-003,A6=3.28944E-002,A8=-1.90823E-003,A10=-2.70234E-003,A12=-1.34593E-004,A14=1.55312E-004
第１０面
K=-1.61882E+000
A4=4.31618E-002,A6=-5.51005E-003,A8=7.53165E-004,A10=-3.15115E-005,A12=-7.12741E-006,A14=3.01759E-007,A16=5.97562E-008
第１１面
K=-4.74362E+001
A4=-1.95846E-002,A6=2.45823E-003,A8=-9.41973E-005,A10=-6.72800E-005,A12=-3.87971E-006,A14=2.39104E-006,A16=-1.17143E-007
実施例８の撮像光学系の条件式（１）〜（５）に対応する値を以下に示す。
（１）φｓ１１/ＢＦＬ（ｍｉｎ）＝８．１０
（２）ＴＴＬ/２Ｙ＝０．７５
（３）｜ν３−ν２｜＝０
（４）｜ｎ３−ｎ２｜＝０
（５）ｎ２＝１．６３４０１
実施例８において、全てのレンズはプラスチック材料から形成されている。
【００７０】
（実施例９）
次に、実施例９に係る撮像光学系について説明する。
図１７は、実施例９に係る撮像光学系の光学構成を示す断面図である。
【００７１】
図１８は、実施例９にかかる撮像光学系の（ａ）球面収差（ＳＡ）、（ｂ）非点収差（ＡＳ）及び、歪曲収差（ＤＴ）を示す図である。
【００７２】
この撮像光学系は、図１７に示すように、物体側より順に、開口絞りＳと、両凸形状の正の屈折力を有する第１レンズＬ１と、物体側に凸面を向けたメニスカス形状の負の屈折力を有する第２レンズＬ２と、物体側に凸面を向けたメニスカス形状の正の屈折力を有する第３レンズＬ３と、像側に凸面を向けたメニスカス形状の正の屈折力を有する第４レンズＬ４と、物体側に凸面を向けたメニスカス形状の負の屈折力を有する第５レンズＬ５を有している。
【００７３】
実施例９の撮像光学系の全体諸元を以下に示す。
ｆ      ：３．８０ｍｍ
ＦＮＯ  ：２．０
２Ｙ    ：６．１６ｍｍ
ＢＦＬ（ｍｉｎ）：０．７２８ｍｍ
φｓ１１  ：  ５．４９７ｍｍ
ＴＴＬ  ：  ４．８３４ｍｍ
実施例９の撮像光学系の面データを以下に示す。
単位ｍｍ
面データ
面番号   
r            d        
nd           νd        有効半径（ｍｍ）
物面     ∞          ∞
1(絞り)∞         -0.2360
0.95
2*    1.9544       0.6033    
1.53501      55.68      
1.00
3*  -13.7637       0.1000                             
1.06
4*    5.0310      
0.2584     1.61420      25.59      
1.10
5*    1.5510       0.2808                             
1.14
6*    3.4968       0.4960    
1.53501      55.68      
1.28
7*   51.5670       0.6307                             
1.36
8*   -2.4858       0.4664     1.53501  
55.68       1.44
9*   -1.0370       0.3166                              1.63
10*   17.0799       0.6175    
1.53501      55.68      
2.43
11*    1.2577       0.4306                             
2.75
12      ∞          0.1100    
1.51226      56.30      
3.02
13      ∞          0.3037                     
3.06
像面（撮像面）∞                                        
非球面データ
第２面
K=-7.94768E-001
A4=1.18927E-002, A6=-2.74485E-003,A8=-5.84785E-003,A10=-2.57556E-003 
第３面
K=8.94191E+001
A4=-2.00108E-002,A6=9.37464E-002,A8=-1.42734E-001,A10=6.10695E-002
第４面
K=-1.56159E+002
A4=-1.03046E-001,A6=2.29999E-001,A8=-2.70299E-001,A10=1.16279E-001
第５面
K=-9.33424E+000
A4=2.97054E-003,A6=1.38270E-001,A8=-1.52491E-001,A10=6.22032E-002,A12=-2.92693E-003
第６面
K=-3.41116E+001
A4=2.71070E-002,A6=-6.23638E-002,A8=6.23370E-002,A10=-1.71878E-002
第７面
K=-2.50000E+003
A4=-1.43685E-002,A6=-1.38237E-002,A8=-1.51623E-002,A10=1.13289E-002
第８面
K=3.92695E-001
A4=-1.60112E-002,A6=2.70059E-002,A8=-1.12905E-002,A10=-3.04936E-003,A12=3.89785E-004
第９面
K=-2.14628E+000
A4=-1.60013E-002,A6=-9.33807E-003,A8=1.96860E-002,A10=-4.15845E-003,A12=-1.79883E-004
第１０面
K=-2.50000E+003
A4=-3.42044E-002,A6=5.62909E-003,A8=3.39045E-004,A10=-1.14116E-004,A12=4.00768E-006,A14=2.75112E-007
第１１面
K=-6.45504E+000
A4=-4.02745E-002,A6=1.00296E-002,A8=-1.90120E-003,A10=1.54200E-004,A12=-3.28418E-006,A14=-2.69578E-008
実施例９の撮像光学系の条件式（１）〜（５）に対応する値を以下に示す。
（１）φｓ１１/ＢＦＬ（ｍｉｎ）＝７．５５
（２）ＴＴＬ/２Ｙ＝０．７８
（３）｜ν３−ν２｜＝３０.０９
（４）｜ｎ３−ｎ２｜＝０.０７９２
（５）ｎ２＝１．６１４２
実施例９において、全てのレンズはプラスチック材料から形成されている。
【００７４】
（実施例１０）
次に、実施例１０に係る撮像光学系について説明する。
図１９は、実施例１０に係る撮像光学系の光学構成を示す断面図である。
【００７５】
図２０は、実施例１０にかかる撮像光学系の（ａ）球面収差（ＳＡ）、（ｂ）非点収差（ＡＳ）及び、歪曲収差（ＤＴ）を示す図である。
【００７６】
この撮像光学系は、図１９に示すように、物体側より順に、開口絞りＳと、両凸形状の正の屈折力を有する第１レンズＬ１と、物体側に凸面を向けたメニスカス形状の負の屈折力を有する第２レンズＬ２と、物体側に凸面を向けた正の屈折力を有する第３レンズＬ３と、像側に凸面を向けたメニスカス形状の正の屈折力を有する第４レンズＬ４と、両凹形状の負の屈折力を有する第５レンズＬ５を有している。
【００７７】
実施例１０の撮像光学系の全体諸元を以下に示す。
ｆ      ：３．７８ｍｍ
ＦＮＯ  ：２．０５
２Ｙ    ：６．１６ｍｍ
ＢＦＬ（ｍｉｎ）：０．６５ｍｍ
φｓ１１  ：  ５．５４９ｍｍ
ＴＴＬ  ：  ４．８８９ｍｍ
実施例１０の撮像光学系の面データを以下に示す。
単位ｍｍ
面データ
面番号   
r            d        
nd           νd        有効半径（ｍｍ）
物面     ∞          ∞
1(絞り)∞         -0.2288
0.92
2*    1.9491       0.6153    
1.53501      55.68      
0.97
3*  -16.5173       0.1000                             
1.03
4*    6.5845      
0.296      1.61420      25.59      
1.07
5*    1.68         0.2524                             
1.13
6*    3.4763       0.4449    
1.53501      55.68      
1.24
7*     ∞          0.6674                             
1.33
8*   -2.6361       0.5126     1.53501  
55.68       1.49
9*   -1.0426       0.2433                              1.66
10*   -2200         0.7542    
1.53501      55.68      
2.42
11*    1.3024       0.6500                             
2.77
12      ∞          0.1100    
1.51226      56.30      
3.02
13      ∞          0.2430                            
3.06
像面（撮像面）∞                                        
非球面データ
第２面
K=-6.63033E-001
A4=1.08132E-002,A6=3.51664E-004,A8=5.53290E-004,A10=-4.66809E-003 
第３面
K=8.10441E+001
A4=-1.77679E-002,A6=9.57274E-002,A8=-1.35453E-001,A10=5.59373E-002
第４面
K=-2.00002E+002
A4=-1.03138E-001,A6=2.33512E-001,A8=-2.75518E-001,A10=1.16820E-001
第５面
K=-9.23379E+000
A4=-4.72013E-003,A6=1.33478E-001,A8=-1.47681E-001,A10=6.49629E-002,A12=-5.85777E-003
第６面
K=-3.44896E+001
A4=2.61874E-002,A6=-6.42714E-002,A8=5.99025E-002,A10=-1.57488E-002
第７面
K=-2.49972E+003
A4=-1.22497E-002,A6=-1.17773E-002,A8=-1.58717E-002,A10=1.27730E-002
第８面
K=-6.38006E-002
A4=-1.52991E-002,A6=2.47776E-002,A8=-1.02472E-002,A10=-2.20232E-003,A12=9.80694E-004
第９面
K=-2.27119E+000
A4=-1.72797E-002,A6=-1.04185E-002,A8=1.93320E-002,A10=-4.07427E-003,A12=-4.10899E-005
第１０面
K=7.99582E-001
A4=-3.55627E-002,A6=5.94602E-003,A8=3.64872E-004,A10=-1.13510E-004,A12=5.12396E-006,A14=6.84333E-008
第１１面
K=-6.26475E+000
A4=-3.85241E-002,A6=1.01252E-002,A8=-1.91955E-003,A10=1.48704E-004,A12=-3.56676E-006,A14=9.67030E-008
実施例１０の撮像光学系の条件式（１）〜（５）に対応する値を以下に示す。
（１）φｓ１１/ＢＦＬ（ｍｉｎ）＝８．５４
（２）ＴＴＬ/２Ｙ＝０．７９
（３）｜ν３−ν２｜＝３０.０９
（４）｜ｎ３−ｎ２｜＝０.０７９２
（５）ｎ２＝１．６１４２
実施例１０において、全てのレンズはプラスチック材料から形成されている。
【００７８】
（実施例１１）
次に、実施例１１に係る撮像光学系について説明する。
図２１は、実施例１１に係る撮像光学系の光学構成を示す断面図である。
【００７９】
図２２は、実施例１１にかかる撮像光学系の（ａ）球面収差（ＳＡ）、（ｂ）非点収差（ＡＳ）及び、歪曲収差（ＤＴ）を示す図である。
【００８０】
この撮像光学系は、図２１に示すように、物体側より順に、開口絞りＳと、両凸形状の正の屈折力を有する第１レンズＬ１と、物体側に凸面を向けたメニスカス形状の負の屈折力を有する第２レンズＬ２と、物体側に凸面を向けた正の屈折力を有する第３レンズＬ３と、像側に凸面を向けたメニスカス形状の正の屈折力を有する第４レンズＬ４と、物体側に凸面を向けたメニスカス形状の負の屈折力を有する第５レンズＬ５を有している。
【００８１】
実施例１１の撮像光学系の全体諸元を以下に示す。
ｆ      ：３．７８ｍｍ
ＦＮＯ  ：２．０
２Ｙ    ：６．１６ｍｍ
ＢＦＬ（ｍｉｎ）：０．６７８ｍｍ
φｓ１１  ：  ５．４７４ｍｍ
ＴＴＬ  ：  ４．８８８ｍｍ
実施例１１の撮像光学系の面データを以下に示す。
単位ｍｍ
面データ
面番号    r            d        
nd           νd        有効半径（ｍｍ）
物面     ∞          ∞
1(絞り)∞         -0.2375
0.94
2*    1.9651       0.6245    
1.53501      55.68      
0.99
3*  -16.0406       0.1000                             
1.05
4*    6.7152      
0.2954     1.61420      25.59      
1.09
5*    1.68         0.2461                             
1.15
6*    3.4731       0.4479    
1.53501      55.68      
1.24
7*     ∞          0.6502                             
1.33
8*   -2.5037       0.4979     1.53501  
55.68       1.46
9*   -1.0512       0.2463                              1.63
10*   15.8457       0.7465    
1.53501      55.68      
2.37
11*    1.253        0.6500                             
2.74
12      ∞          0.1100    
1.51226      56.30      
3.01
13      ∞          0.2734                            
3.06
像面（撮像面）∞                                        
非球面データ
第２面
K=-7.50853E-001
A4=1.26507E-002,A6=-8.87315E-005,A8=-1.19528E-003,A10=-3.42701E-003 
第３面
K=8.34490E+001
A4=-1.80266E-002,A6=9.60214E-002,A8=-1.39067E-001,A10=5.83226E-002
第４面
K=-2.00006E+002
A4=-1.05087E-001,A6=2.31201E-001,A8=-2.71826E-001,A10=1.15263E-001
第５面
K=-9.29527E+000
A4=-6.46371E-003,A6=1.34388E-001,A8=-1.47608E-001,A10=6.53208E-002,A12=-6.20686E-003
第６面
K=-3.38223E+001
A4=2.55082E-002,A6=-6.37879E-002,A8=5.96552E-002,A10=-1.59968E-002
第７面
K=-3.97123E+000
A4=-1.22635E-002,A6=-1.17764E-002,A8=-1.63096E-002,A10=1.18494E-002
第８面
K=1.04869E-001
A4=-1.07009E-002,A6=2.50075E-002,A8=-1.07715E-002,A10=-2.38633E-003,A12=8.50947E-004
第９面
K=-2.15732E+000
A4=-1.61675E-002,A6=-1.01112E-002,A8=1.91770E-002,A10=-4.12638E-003,A12=-2.61541E-005
第１０面
K=-2.49191E+003
A4=-3.54361E-002,A6=5.75278E-003,A8=3.50237E-004,A10=-1.06694E-004,A12=4.94743E-006,A14=4.51243E-008
第１１面
K=-6.33803E+000
A4=-3.83900E-002,A6=1.00179E-002,A8=-1.91362E-003,A10=1.48916E-004,A12=-3.15883E-006,A14=5.96153E-008
実施例１１の撮像光学系の条件式（１）〜（５）に対応する値を以下に示す。
（１）φｓ１１/ＢＦＬ（ｍｉｎ）＝８．０７
（２）ＴＴＬ/２Ｙ＝０．７９
（３）｜ν３−ν２｜＝３０.０９
（４）｜ｎ３−ｎ２｜＝０.０７９２
（５）ｎ２＝１．６１４２
実施例１１において、全てのレンズはプラスチック材料から形成されている。
【００８２】
（実施例１２）
次に、実施例１２に係る撮像光学系について説明する。
図２３は、実施例１２に係る撮像光学系の光学構成を示す断面図である。
【００８３】
図２４は、実施例１２にかかる撮像光学系の（ａ）球面収差（ＳＡ）、（ｂ）非点収差（ＡＳ）及び、歪曲収差（ＤＴ）を示す図である。
【００８４】
この撮像光学系は、図２３に示すように、物体側より順に、開口絞りＳと、両凸形状の正の屈折力を有する第１レンズＬ１と、物体側に凸面を向けたメニスカス形状の負の屈折力を有する第２レンズＬ２と、物体側に凸面を向けたメニスカス形状の正の屈折力を有する第３レンズＬ３と、両凸形状の正の屈折力を有する第４レンズＬ４と、像側に凸面を向けたメニスカス形状の負の屈折力を有する第５レンズＬ５を有している。
【００８５】
実施例１２の撮像光学系の全体諸元を以下に示す。
ｆ      ：４．１３ｍｍ
ＦＮＯ  ：２．０１
２Ｙ    ：６．１６ｍｍ
ＢＦＬ（ｍｉｎ）：０．６５ｍｍ
φｓ１１  ：  ５．１７８ｍｍ
ＴＴＬ  ：  ４．８９０ｍｍ
実施例１２の撮像光学系の面データを以下に示す。
単位ｍｍ
面データ
面番号   
r            d        
nd           νd        有効半径（ｍｍ）
物面     ∞          ∞
1(絞り)∞         -0.3326    
1.03
2*    1.6990       0.7199    
1.53116      56.04      
1.08
3*  -16.6669       0.0940                             
1.04
4*    8.1722      
0.2577     1.63415      23.96      
1.02
5*    1.9677       0.4017                             
0.90
6*    3.9399       0.3606    
1.63415      23.96      
1.29
7*    4.1754       0.3601                             
1.47
8*   59.0066       0.7668     1.53116  
56.04       1.64
9*   -1.88         0.8906                              1.81
10*   -1.4449       0.3886    
1.53116      56.04       2.35
11*  -10001.4       0.2000                             
2.59
12      ∞          0.1100    
1.51226      56.30      
3.00
13      ∞          0.3400                            
3.04
像面（撮像面）∞                                        
非球面データ
第２面
K=-5.70947E-001
A4=1.18112E-002,A6=1.08244E-002,A8=-2.45152E-002,A10=1.58929E-002,A12=-4.87808E-003 
第３面
K=-1.12664E+002
A4=4.60597E-003,A6=-6.78564E-004,A8=-3.81146E-002,A10=4.45321E-002,A12=-1.19777E-002
第４面
K=-5.00010E+002
A4=1.99810E-003,A6=5.60126E-003,A8=-2.24479E-003,A10=8.36015E-003,A12=9.41996E-003
第５面
K=-7.11390E+000
A4=2.52233E-002,A6=6.98727E-002,A8=-1.23976E-002,A10=-1.80946E-002,A12=2.28402E-002
第６面
K=-1.32664E+001
A4=-7.76018E-002,A6=4.55973E-002,A8=-2.47623E-002,A10=1.55166E-002,A12=-4.46600E-003
第７面
K=-1.47991E+001
A4=-7.75609E-002,A6=3.66313E-002,A8=-2.15015E-002,A10=1.29197E-002,A12=-2.80418E-003
第８面
K=-5.00004E+002
A4=-6.11528E-002,A6=2.04911E-002,A8=-1.15800E-002,A10=3.61316E-003,A12=-9.61664E-005
第９面
K=-3.73068E+000
A4=-4.74509E-002,A6=1.24597E-002,A8=4.21843E-003,A10=-1.31255E-003,A12=3.34860E-005
第１０面
K=-1.53996E+000
A4=2.61366E-002,A6=7.75251E-004,A8=4.90422E-005,A10=-3.14712E-005,A12=-3.34908E-006,A14=6.28280E-007
第１１面
K=-1.08442E+001
A4=-1.07524E-002,A6=1.03095E-003,A8=-3.85129E-004,A10=2.71969E-005,A12=4.09199E-006,A14=-2.72725E-007
実施例１２の撮像光学系の条件式（１）〜（５）に対応する値を以下に示す。
（１）φｓ１１/ＢＦＬ（ｍｉｎ）＝７．９７
（２）ＴＴＬ/２Ｙ＝０．７９
（３）｜ν３−ν２｜＝０
（４）｜ｎ３−ｎ２｜＝０
（５）ｎ２＝１．６３４１５
実施例１２において、全てのレンズはプラスチック材料から形成されている。
【００８６】
（実施例１３）
次に、実施例１３に係る撮像光学系について説明する。
図２５は、実施例１３に係る撮像光学系の光学構成を示す断面図である。
【００８７】
図２６は、実施例１３にかかる撮像光学系の（ａ）球面収差（ＳＡ）、（ｂ）非点収差（ＡＳ）及び、歪曲収差（ＤＴ）を示す図である。
【００８８】
この撮像光学系は、図２５に示すように、物体側より順に、開口絞りＳと、両凸形状の正の屈折力を有する第１レンズＬ１と、物体側に凸面を向けたメニスカス形状の負の屈折力を有する第２レンズＬ２と、物体側に凸面を向けたメニスカス形状の負の屈折力を有する第３レンズＬ３と、両凸形状の正の屈折力を有する第４レンズＬ４と、像側に凸面を向けたメニスカス形状の負の屈折力を有する第５レンズＬ５を有している。
【００８９】
実施例１３の撮像光学系の全体諸元を以下に示す。
ｆ      ：３．９８ｍｍ
ＦＮＯ  ：２．０
２Ｙ    ：６．１６ｍｍ
ＢＦＬ（ｍｉｎ）：０．６４９ｍｍ
φｓ１１  ：  ５．５２１ｍｍ
ＴＴＬ  ：  ４．８９７ｍｍ
実施例１３の撮像光学系の面データを以下に示す。
単位ｍｍ
面データ
面番号   
r            d        
nd           νd        有効半径（ｍｍ）
物面     ∞          ∞
1(絞り)∞         -0.1932    
0.97
2*    2.0994       0.7874    
1.53501      55.68      
1.02
3*   -6.4705       0.0990                             
1.07
4*   11.3257       0.3716     1.63980  
23.27       1.07
5*    2.3179       0.4416                              0.95
6*    2.5424       0.2831    
1.63980      23.27      
1.39
7*    2.0758       0.3139                             
1.57
8*    4.1206       0.8664     1.53501
55.68       1.81
9*   -1.6747       0.5892                              1.97
10*   -1.1123       0.4894    
1.53501      55.68      
2.53
11*  -10001.4       0.2000                             
2.76
12      ∞          0.1100    
1.51226      56.30      
2.93
13      ∞          0.3400                            
2.96
像面（撮像面）∞                                        
非球面データ
第２面
K=-1.61436E+000
A4=-4.59741E-003,A6=8.91384E-003,A8=-5.38441E-002,A10=3.31134E-002,A12=-1.39405E-002
第３面
K=-2.19864E+000
A4=-5.14539E-002,A6=3.17067E-002,A8=-7.42227E-002,A10=4.17580E-002,A12=-5.15951E-003
第４面
K=-4.92231E+002
A4=-9.55264E-003,A6=2.94562E-002,A8=-1.61989E-002,A10=-2.58790E-002,A12=3.74477E-002
第５面
K=-1.52668E+001
A4=8.11389E-002,A6=4.79876E-002,A8=-1.43433E-001,A10=1.43874E-001,A12=-4.45514E-002
第６面
K=-3.43490E+001
A4=-6.11966E-002,A6=4.36442E-002,A8=-2.29041E-002,A10=1.16940E-002,A12=-3.60206E-003
第７面
K=-2.52168E+001
A4=-8.46175E-002,A6=4.13089E-002,A8=-2.00257E-002,A10=1.19869E-002,A12=-2.78163E-003
第８面
K=-6.30920E+001
A4=-5.44190E-002,A6=1.87817E-002,A8=-1.24184E-002,A10=5.45133E-003,A12=-7.34447E-004
第９面
K=-2.51735E+000
A4=-3.09040E-002,A6=2.00866E-002,A8=2.73438E-003,A10=-2.61653E-003,A12=3.48256E-004
第１０面
KK=-2.01722E+000
A4=3.53456E-002,A6=-9.79425E-004,A8=-6.24348E-005,A10=-1.78593E-005,A12=1.99907E-006,A14=3.68625E-008
第１１面
K=-1.20526E+002
A4=9.22751E-003,A6=-5.68496E-003,A8=9.03882E-004,A10=-6.48296E-005,A12=-1.34082E-006,A14=4.10316E-007
実施例１３の撮像光学系の条件式（１）〜（５）に対応する値を以下に示す。
（１）φｓ１１/ＢＦＬ（ｍｉｎ）＝８．５０７
（２）ＴＴＬ/２Ｙ＝０．７９
（３）｜ν３−ν２｜＝０
（４）｜ｎ３−ｎ２｜＝０
（５）ｎ２＝１．６３９８０
実施例１３において、全てのレンズはプラスチック材料から形成されている。
【符号の説明】
【００９０】
Ｌ１    第１レンズ
Ｌ２    第２レンズ
Ｌ３    第３レンズ
Ｌ４    第４レンズ
Ｌ５    第５レンズ
ＣＧ    カバーガラス
Ｉ      撮像面
Ｓ      開口絞り
１０    固定レンズ
２０    固定レンズ
３０    固定レンズ
４０    固定レンズ
５０    可動レンズ（フォーカシングレンズ）
６０    鏡枠
７０    アクチュエータ
８０    撮像素子
９０    基部
１００  カメラモジュール
１１０  ハウジング
【図１】
2014123092.tif 000003
【図２】
2014123092.tif 000004
【図３】
2014123092.tif 000005
【図４】
2014123092.tif 000006
【図５】
2014123092.tif 000007
【図６】
2014123092.tif 000008
【図７】
2014123092.tif 000009
【図８】
2014123092.tif 000010
【図９】
2014123092.tif 000011
【図１０】
2014123092.tif 000012
【図１１】
2014123092.tif 000013
【図１２】
2014123092.tif 000014
【図１３】
2014123092.tif 000015
【図１４】
2014123092.tif 000016
【図１５】
2014123092.tif 000017
【図１６】
2014123092.tif 000018
【図１７】
2014123092.tif 000019
【図１８】
2014123092.tif 000020
【図１９】
2014123092.tif 000021
【図２０】
2014123092.tif 000022
【図２１】
2014123092.tif 000023
【図２２】
2014123092.tif 000024
【図２３】
2014123092.tif 000025
【図２４】
2014123092.tif 000026
【図２５】
2014123092.tif 000027
【図２６】
2014123092.tif 000028
【図２７】
2014123092.tif 000029